(57)【要約】【課題】サービスを利用する際に顧客自身が注文品のデータを直接取得しなくても、精算時に受け取ったレシートから注文品の詳細なデータをいつでも取得可能にするレシート情報生成装置を提供する。【解決手段】本発明のレシート情報生成装置は、注文品の画像を示す画像データにアクセスするためのアクセス情報を取得する情報取得部と、情報取得部によって取得したアクセス情報を、注文品の清算時にレシートに印刷するレシート印刷部とを備える。【選択図】図５
2018049664.tif 000002
【特許請求の範囲】
【請求項１】
注文品の画像を示す画像データにアクセスするためのアクセス情報を取得する情報取得部と、
前記情報取得部によって取得した前記アクセス情報を、前記注文品の清算時にレシートに印刷するレシート印刷部と
を備えた、レシート情報生成装置。
【請求項２】
前記アクセス情報は、バーコード及びＵＲＬのうちの少なくとも１つを含む、請求項１に記載のレシート情報生成装置。
【請求項３】
注文品の画像を示す画像データを表示する表示端末装置であって、
レシートに印刷された、前記画像データにアクセスするためのアクセス情報を用いて、前記画像データを取得する画像データ取得部と、
前記画像データ取得部によって取得した前記画像データを表示する表示部と
を備えた、表示端末装置。
【請求項４】
レシート情報生成装置とサーバとを含んだレシート情報生成システムであって、
前記サーバは、注文品の画像を示す画像データを格納する画像データ格納部を備え、
前記レシート情報生成装置は、
前記画像データにアクセスするためのアクセス情報を取得する情報取得部と、
前記情報取得部によって取得した前記アクセス情報を、前記注文品の清算時にレシートに印刷するレシート印刷部と
を備えた、レシート情報生成システム。
【請求項５】
注文品の画像を示す画像データにアクセスするためのアクセス情報を取得する情報取得工程と、
前記情報取得工程を実行することによって取得した前記アクセス情報を、前記注文品の清算時にレシートに印刷するレシート印刷工程と、
前記レシートに印刷された前記アクセス情報を用いて前記画像データを取得する画像データ取得工程と、
前記画像データ取得工程を実行することによって取得した前記画像データを表示する表示工程と
を包含する、レシート情報生成方法。
【発明の詳細な説明】
【技術分野】
【０００１】
この発明は、レシートに印刷すべき情報を生成するレシート情報生成装置、レシート情報生成方法およびレシート情報生成システムに関する。
【背景技術】
【０００２】
飲食店や旅館・ホテルなどのサービス業においてレジでの精算時に発行されるレシートや領収証には、顧客が注文した注文品の品名・個数とその価格、注文品の合計額、消費税、顧客からの預かり額、釣銭額、および現金またはクレジットカードによる支払い等の注文の明細が印刷される。また、注文の明細とは別に、企業や店舗等の販促用の情報やアンケート、キャンペーン等の情報と、その情報を記載したウェブサイトのＵＲＬや２次元（ＱＲ）コード等の付加的な情報がレシートに印刷される傾向が近年多く見られるようになってきている。
【０００３】
従来、レシートに２次元コードを印刷する発明に関連して、販売点数が所定の設定値を超えたとき、レシートデータを２次元コード化した２次元コードレシートデータを生成して、レシート用紙に印刷することにより、発行時のレシート用紙の使用量を削減する電子レシート管理システムの発明が知られている（例えば、特許文献１を参照）。
【先行技術文献】
【特許文献】
【０００４】
【特許文献１】特開２０１２−２１６０４２号公報
【発明の概要】
【発明が解決しようとする課題】
【０００５】
一方、近年のブログやＳＮＳサービス等のネットワークサービスの急速な普及に伴い、個人の情報発信の一環として、飲食店等で注文した料理などの写真をブログなどに掲載する傾向が多く見られるようになってきている。ここで、ブログなどに掲載される画像は、例えば、飲食店において顧客が注文した料理をスマートフォンなどの携帯端末で直接撮影することによって得られるのが一般的である。
しかしながら、飲食店によっては、他の顧客への配慮から店内の写真撮影が禁止されているところもあり、このような店において料理画像を取得するのは困難である。また、店内の写真撮影が禁止されていなくても、店内の雰囲気やその場の状況、マナーの問題等によって私的な写真撮影がはばかられることもある。さらに、料理が運ばれてきた時点で携帯端末のバッテリが切れてしまうこともあり、また、顧客がうっかり料理に手をつけることによって写真撮影の機会を逸してしまうこともある。このような場合、同一の料理を再注文しない限り、顧客はその料理についての画像データを得ることができない。それゆえ、サービスを利用する時点で顧客自身が注文品をその場で撮影できなくても、必要に応じて注文品に関する画像データをいつでも取得できるサービスが望まれていた。
【０００６】
この発明は、以上のような事情を考慮してなされたものであって、その目的は、顧客がサービスを利用した後も、注文品の詳細なデータをいつでも取得可能にするレシート情報生成装置、レシート情報生成方法およびレシート情報生成システムを提供することにある。
【課題を解決するための手段】
【０００７】
この発明は、注文品の情報を取得する注文情報取得部と、前記注文品の精算に係るレシートに印刷すべきレシート情報を生成するレシート情報生成部と、外部のサーバに格納された前記注文品の詳細データにアクセスするためのアドレス情報を取得するアドレス情報取得部と、前記注文情報取得部、前記アドレス情報取得部および前記レシート情報生成部を制御する制御部とを備え、前記制御部は、前記注文情報取得部が注文品の情報を取得したとき、前記注文品の詳細データのアドレス情報を前記アドレス情報取得部に取得させ、前記アドレス情報を含む前記レシート情報を前記レシート情報生成部に生成させることを特徴とするレシート情報生成装置を提供するものである。
また、この発明は、注文品の情報を取得する注文情報取得工程と、前記注文品の精算に係るレシートに印刷すべきレシート情報を生成するレシート情報生成工程と、外部のサーバに格納された前記注文品の詳細データにアクセスするためのアドレス情報を取得するアドレス情報取得工程とを備え、注文品の情報を取得したとき、前記注文品の詳細データのアドレス情報を前記アドレス情報取得部に取得し、前記アドレス情報を含む前記レシート情報を前記レシート情報生成部に生成することを特徴とするレシート情報生成方法を提供するものである。
また、この発明は、サーバ、レシート情報生成装置および携帯端末を備え、前記サーバは、注文品の詳細データおよび前記詳細データにアクセスするためのアドレス情報を格納するデータ格納部を備え、前記レシート情報生成装置は、前記注文品の情報を取得する注文情報取得部と、前記注文品の精算に係るレシートに印刷すべきレシート情報を生成して印刷するレシート情報生成部と、前記アドレス情報を取得するアドレス情報取得部と、前記注文情報取得部、前記アドレス情報取得部および前記レシート情報生成部を制御する制御部とを備え、前記携帯端末は、撮影によって取得した画像情報から前記アドレス情報を読み取るアドレス情報読取部と、前記アドレス情報にアクセスして前記詳細データを取得するデータ取得部と、前記詳細データをユーザーに表示するデータ表示部と、前記アドレス情報読取部、前記データ取得部および前記データ表示部を制御する端末制御部とを備え、前記制御部は、前記注文情報取得部が注文品の情報を取得したとき、前記注文品の詳細データのアドレス情報を前記アドレス情報取得部に取得させ、前記アドレス情報を含む前記レシート情報を前記レシート情報生成部に生成させて前記レシートに印刷させ、前記端末制御部は、前記レシートの撮影によって取得した前記レシート情報から前記アドレス情報を前記アドレス情報読取部に読み取らせ、前記アドレス情報にアクセスして前記詳細データを前記データ取得部に取得させ、前記詳細データを前記データ表示部に表示させることを特徴とするレシート情報生成システムを提供するものである。
【発明の効果】
【０００８】
この発明によれば、サービスを利用する際に顧客自身が注文品のデータを直接取得しなくても、精算時に受け取ったレシートから注文品の詳細データをいつでも取得可能にするレシート情報生成装置、レシート情報生成方法およびレシート情報生成システムを実現する。
【図面の簡単な説明】
【０００９】
【図１】この発明のレシート情報生成装置を用いたシステムの概略構成を示すブロック図である。（実施形態１）
【図２】図１に示すレシート情報生成装置の概略構成を示すブロック図である。（実施形態１）
【図３】図１に示す情報管理サーバの概略構成を示すブロック図である。（実施形態１）
【図４】図１に示す携帯端末の概略構成を示すブロック図である。（実施形態１）
【図５】図１に示すレシート情報生成装置のレシート印刷手順を示すフローチャートである。（実施形態１）
【図６】図１に示す情報管理サーバからレシート情報生成装置への２次元コード送信手順を示すフローチャートである。（実施形態１）
【図７】図１に示す携帯端末の画像データ取得手順を示すフローチャートである。（実施形態１）
【図８】図１に示す情報管理サーバによる注文品の画像データの送信手順を示すフローチャートである。（実施形態１）
【図９】図１に示すレシート情報生成装置によって生成されたレシート情報に基づいて印刷されたレシートの一例を示す説明図である。（実施形態１）
【図１０】図１に示す携帯端末のディスプレイパネルに表示された画像情報の一例を示す説明図である。（実施形態１）
【図１１】図１に示す情報管理サーバに格納された画像情報管理データベースの一例を示す表である。（実施形態１）
【発明を実施するための形態】
【００１０】
以下、図面を用いてこの発明をさらに詳述する。なお、以下の説明は、すべての点で例示であって、この発明を限定するものと解されるべきではない。
【００１１】
（実施形態１）
＜レシート情報生成装置の構成＞
以下、図１に基づき、この発明の実施形態１に係るレシート情報生成装置１を用いたシステムの概略構成を説明する。
図１は、この発明のレシート情報生成装置１を用いたシステムの概略構成を示すブロック図である。
【００１２】
図１に示すように、レシート情報生成システム１００は、レシート情報生成装置１、情報管理サーバ２、携帯端末３、ＰＣ４および通信網５を備える。
【００１３】
レシート情報生成装置１は、例えば、ＰＯＳ（Point of Sales（販売時点情報管理））端末やＥＣＲ（Electronic Cash Register（電子式金銭登録機））端末など、注文品の精算に係るレシートを印刷するためのレシート情報を生成する情報処理装置である。
情報管理サーバ２は、注文品の画像データを保持し、通信網５を介して画像データを携帯端末３またはＰＣ４に送信するものである。例えば、ＰＯＳ端末等を管理するＰＯＳサーバやＰＯＳサーバと情報をやりとりするストアサーバ等の装置を利用することができる。
携帯端末３は、各種の情報を送受信可能な通信機能を有する携帯情報端末である。例えば、携帯電話、ＰＨＳ、ＰＤＡ、タブレット端末、携帯型ナビゲーション装置などの携帯型端末を利用することができる。
ＰＣ４は、各種の情報を送受信可能な通信機能を有する情報端末である。例えば、ノートパソコンや据え置き型のサーバを利用することができる。
通信網５は、レシート情報生成装置１、情報管理サーバ２、携帯端末３およびＰＣ４等をつなぐネットワークである。なお、ＬＡＮ、インターネットなどの広域ネットワーク（ＷＡＮ）、専用の通信回線などいずれのネットワークを利用してもよい。
レシート１０１ａ，１０１ｂおよび１０１ｃ（以下、レシート１０１）は、店舗等のレジにおいて、顧客が注文した注文品の個数や金額、消費税等、購入日時の情報や、レジの担当者または販売部門などの情報を印刷したものである。また、レシート１０１に付加される情報として、ＵＲＬやＱＲコード（登録商標）等のバーコード情報も記載される。
【００１４】
なお、この発明の外部のサーバは、情報管理サーバ２に相当する。
【００１５】
＜レシート情報生成装置の構成＞
次に、図２に基づき、図１に示すレシート情報生成装置１の各構成要素を説明する。
図２は、図１に示すレシート情報生成装置１の概略構成を示すブロック図である。
【００１６】
図２に示すように、この発明のレシート情報生成装置１は、ＣＰＵ１０、入力装置１１、出力装置１２、記憶装置１３、時計部１４、ネットワーク通信部１５およびドロア装置１６を備える。
【００１７】
なお、この発明の注文情報取得部は、入力装置１１２とＣＰＵ１０の協働によって実現される。また、この発明のレシート情報生成部は、入力装置１１２およびＣＰＵ１０の協働によって実現される。また、この発明のアドレス情報取得部は、ネットワーク通信部１５およびＣＰＵ１０の協働によって実現される。
【００１８】
ＣＰＵ１０は、ＣＰＵあるいはマイクロプロセッサ(Microprocessor)を主体とする回路であり、レシート情報生成装置１の各構成要素の動作を制御する部分である。主として、ＣＰＵ、ＲＯＭ、ＲＡＭ、Ｉ／Ｏコントローラ、タイマー等からなるマイクロコンピュータによって実現される。ＣＰＵ１０は、ＲＯＭ等に予め格納された制御プログラムに基づいて、各ハードウェアを有機的に動作させて、後述するようなこの発明のレシート情報生成機能などを実行する。
なお、周辺回路として、特定の用途のために設計、製造される集積回路であるＡＳＩＣ（Application Specific Integrated Circuit）、その他の演算機能を有する回路を含んでいてもよい。
【００１９】
入力装置１１は、レシート情報生成装置１を操作するためのインターフェイスである。例えば、タッチパネル１１１やキーボタン１１３があげられる。タッチパネル１１１の場合はディスプレイパネル１２１を通じて操作する。ユーザーは、入力装置１１を操作することによって、レシート情報生成装置１に対する指示を実行する。
入力装置１１は、タッチパネル１１１、タッチパネルコントローラ１１２、キーボタン１１３、キーコントローラ１１４、スキャナ１１５およびスキャナコントローラ１１６を備える。
タッチパネル１１１は、例えば、ディスプレイパネル１２１の表示面に透明なタッチパネルを貼り付けることによって構成され、入力者がタッチパネル１１１の表面に指先で触れたとき、その指先の位置情報を検出することによってディスプレイパネル１２１の表示内容に応じた操作が行われる。位置検出の方式としては、例えば、電子式、静電式および光学式などがある。
キーボタン１１３は、複数個のキーの配列からなる。入力者はキーボタン１１３を押すことによって、レシート情報生成装置１に対する指示を実行する。
スキャナ１１５は、ＱＲコード等のバーコードをバーコードリーダによって光学的に読み取ることによって、商品情報を取得する部分である。
タッチパネル１１１、キーボタン１１３およびスキャナ１１５は、それぞれタッチパネルコントローラ１１２、キーコントローラ１１４およびスキャナコントローラ１１６によって制御される。
【００２０】
出力装置１２は、レシート情報生成装置１のユーザーに対して各種情報の出力を行う部分である。
出力装置１２は、ディスプレイパネル１２１、ディスプレイコントローラ１２２、スピーカー１２３、スピーカーコントローラ１２４、プリンタ１２５およびプリンタコントローラ１２６を備える。
ディスプレイパネル１２１は、例えば、ＣＲＴディスプレイ、液晶ディスプレイ、ＥＬディスプレイなどで構成され、オペレーティングシステムやアプリケーションソフトウェアが処理状態など電子的なデータを表示するためのモニタやラインディスプレイなどの表示装置である。
スピーカー１２３は、レシート情報生成装置１のユーザーに対して音を出力する部分である。
プリンタ１２５は、レシート１０１の印刷を行う部分である。なお、プリンタ１２５は、外付けであってもよい。
ディスプレイパネル１２１、スピーカー１２３およびプリンタ１２５は、それぞれディスプレイコントローラ１２２、スピーカーコントローラ１２４およびプリンタコントローラ１２６によって制御される。
【００２１】
記憶装置１３は、レシート情報生成装置１の各種機能を実現するために必要な情報や、プログラムを記憶する部分であり、半導体素子、ハードディスク、フラッシュメモリ等の記憶媒体が用いられる。
記憶装置１３は、ＲＯＭ１３１、ＲＡＭ１３３、ＵＳＢ１３５およびＵＳＢコントローラ１３６を備える。
ＲＯＭ１３１は、プログラム、固定テキストなど、レシート情報生成装置１の各種機能を実現するために必要な情報を格納する部分である。ＲＯＭ１３１としては、半導体素子やフラッシュメモリ等の記憶媒体が用いられる。
ＲＡＭ１３３は、各種データや取引結果を格納する部分である。プログラムのワークエリア等としても使用する。ＲＡＭ１３３としては、半導体素子やハードディスク等の記憶媒体が用いられる。
ＵＳＢ１３５は、各種データの読み書きを行う記憶媒体であり、レシート情報生成装置１のＵＳＢポートを通じて接続される。
ＵＳＢ１３５は、ＵＳＢコントローラ１３６によって制御される。
【００２２】
時計部１４は、現在時刻を記録する部分である。当該時刻情報は、プリンタ１２５によってレシート情報に印刷される。また、ネットワーク通信部１５によって外部のネットワークを通じて現在時刻を取得するものであってもよい。
【００２３】
ネットワーク通信部１５は、通信網５などのネットワークを介して、情報管理サーバ２等と通信を行い、商品情報や売上情報などの各種情報を送受信する部分である。
【００２４】
ドロア装置１６は、顧客から預かった紙幣や貨幣等の現金を保持する部分である。
ドロア装置１６は、ドロア１６１およびドロアコントローラ１６２を備える。
ドロア１６１は、ドロアコントローラ１６２によって制御される。
【００２５】
＜情報管理サーバの構成＞
次に、図３に基づき、図１に示す情報管理サーバ２の各構成要素を説明する。
図３は、図１に示す情報管理サーバ２の概略構成を示すブロック図である。
【００２６】
図３に示すように、この発明の情報管理サーバ２は、ＣＰＵ２０、記憶装置２３、時計部２４およびネットワーク通信部２５を備える。
記憶装置２３は、ＲＯＭ２３１およびＲＡＭ２３３を備える。
ＲＡＭ２３３は、注文品に関連付けられた画像データやそのアドレス情報および複数の注文品と画像データとの対応関係を示したデータベースなどを格納する部分である。
なお、図２に示すレシート情報生成装置１の構成要素と同一の名称を有する要素については、同様の構成および機能を有するものとして説明を省略する。
【００２７】
＜携帯端末の構成＞
次に、図４に基づき、図１に示す携帯端末３の各構成要素を説明する。
なお、ＰＣ４も基本的には、携帯端末３と同様の構成要素を有する。ここでは、携帯端末３に代表させて説明する。
図４は、図１に示す携帯端末３の概略構成を示すブロック図である。
【００２８】
図４に示すように、この発明の携帯端末３は、ＣＰＵ３０、入力装置３１、出力装置３２、記憶装置３３、時計部３４およびネットワーク通信部３５を備える。
入力装置３１は、マイク３１７、マイクコントローラ３１８、カメラ３１９およびカメラコントローラ３２０を備える。
マイク３１７は、マイクコントローラ３１８によって制御される。
カメラ３１９は、カメラコントローラ３２０によって制御される。
出力装置３２は、ディスプレイパネル３２１およびスピーカー３２３を備える。
ディスプレイパネル３２１は、ディスプレイコントローラ３２２によって制御される。
スピーカー３２３は、スピーカーコントローラ３２４によって制御される。
記憶装置３３は、ＲＯＭ３３１およびＲＡＭ３３３を備える。
【００２９】
マイク３１７は、人の声あるいは音などが入力される部分である。
カメラ３１９は、携帯端末３の外部の画像を取得する部分である。カメラ３１９は、レシート１０１に印刷された２次元コードを読み取る機能を有する。
なお、図２に示すレシート情報生成装置１の構成要素と同一の名称を有する要素については、同様の構成および機能を有するものとして説明を省略する。
【００３０】
＜レシート情報生成装置のレシート印刷手順＞
次に、図５に基づき、レシート情報生成装置１のレシート印刷手順について説明する。
図５は、図１に示すレシート情報生成装置１のレシート印刷手順を示すフローチャートである。
【００３１】
ＣＰＵ１０は、以下のステップに示す手順に従う。
図５のステップＳ１において、ＣＰＵ１０は、注文品の情報を受け付けたか否かを判定する（ステップＳ１）。
例えば、レジにおいて直接顧客から注文品を受け付ける場合は、ＥＣＲ端末等から入力された情報を取得することによって注文品の情報を受け付けたか否かの判断を行う。また、注文受付用の端末がある場合は、顧客に注文を取りに行った際に、店員が当該端末に注文品の種類や個数などの情報を入力したときに、通信網５を通じて情報を取得することによって注文品の情報を受け付けたか否かを判断する。
【００３２】
ステップＳ１において、注文品の情報を受け付けた場合（ステップＳ１の判定がＹｅｓの場合）、ＣＰＵ１０は、ステップＳ２において、顧客が注文した注文品の品名や個数などの注文品の情報を管理する（ステップＳ２）。
一方、ステップＳ１において、注文品の情報を受け付けていない場合（ステップＳ１の判定がＮｏの場合）、ＣＰＵ１０は、ステップＳ３の処理を行う（ステップＳ３）。
なお、小規模な店舗などで注文受付用の端末がない場合や、注文時点で注文品の情報をサーバで管理せずに精算時に注文品の処理を一括で行う場合は、ステップＳ１の判定を省略してもよい。
【００３３】
次に、ステップＳ３において、ＣＰＵ１０は、注文品の精算の処理を行ったか否かを判定する（ステップＳ３）。
精算の処理を行った場合（ステップＳ３の判定がＹｅｓの場合）、ＣＰＵ１０は、ステップＳ４の処理を行う（ステップＳ４）。
一方、精算の処理を行っていない場合（ステップＳ３の判定がＮｏの場合）、ＣＰＵ１０は、ステップＳ１の判定を行う（ステップＳ１）。
なお、複数回に分けて注文を受け付けた場合、最後にまとめて一括で精算の処理を行うようにしてもよい。
【００３４】
次に、ステップＳ４において、ＣＰＵ１０は、情報管理サーバ２が注文品に関連付けられた画像データを外部からアクセス可能に保持しているか否かを判定する（ステップＳ４）。
情報管理サーバ２が当該画像データを外部からアクセス可能に保持している場合（ステップＳ４の判定がＹｅｓの場合）、ＣＰＵ１０は、ステップＳ５において情報管理サーバ２に接続する（ステップＳ５）。
一方、情報管理サーバ２が当該画像データを外部からアクセス可能に保持していない場合（ステップＳ４の判定がＮｏの場合）、ＣＰＵ１０は、ステップＳ６の処理を行う（ステップＳ６）。
【００３５】
ステップＳ６において、ＣＰＵ１０は、注文品の画像を含まない通常のテキストレシートデータを生成し、当該レシートデータに基づいてプリンタ１２５にレシート１０１を印刷させる（ステップＳ６）。
写真を公開しない注文品ばかりの場合や２次元コードを必要としない場合は、テキストレシートデータのみを印刷するようにしてもよい。
【００３６】
次に、ステップＳ７において、ＣＰＵ１０は、情報管理サーバ２に注文品の情報を送信させる（ステップＳ７）。
【００３７】
続いて、ステップＳ８において、ＣＰＵ１０は、注文品に関連付けられた２次元コード情報の送信要求を情報管理サーバ２に対して行う（ステップＳ８）。
【００３８】
続いて、ステップＳ９において、ＣＰＵ１０は、情報管理サーバ２から２次元コード情報を受信したか否かを判定する（ステップＳ９）。
情報管理サーバ２から２次元コード情報を受信した場合（ステップＳ９の判定がＹｅｓの場合）、ＣＰＵ１０は、続くステップＳ１０において、通常のテキストレシートデータと注文品の画像データへのアクセス情報を含む２次元コードレシートデータを生成し、当該レシートデータに基づいてプリンタ１２５にレシート１０１を印刷させる（ステップＳ１０）。
一方、情報管理サーバ２から２次元コード情報を受信していない場合（ステップＳ９の判定がＮｏの場合）、ＣＰＵ１０は、情報管理サーバ２から２次元コード情報を受信するまで待機する。
なお、２次元コードを読み取る機能がない携帯端末３やＰＣ４でアドレス情報を読み取り可能にしたい場合は、２次元コードの代わりにＵＲＬをレシート１０１に記載するようにしてもよい。
【００３９】
＜情報管理サーバからレシート情報生成装置への２次元コード送信手順＞
次に、図６に基づき、情報管理サーバ２からレシート情報生成装置１への２次元コード送信手順について説明する。
図６は、図１に示す情報管理サーバ２からレシート情報生成装置１への２次元コード送信手順を示すフローチャートである。
【００４０】
情報管理サーバ２のＣＰＵ２０は、以下のステップに示す手順に従う。
図６のステップＳ１１において、ＣＰＵ２０は、レシート情報生成装置１から注文品に関連付けられた画像データのアドレス情報を含む２次元コード情報の送信要求（図５のステップＳ８）を受信したか否か判定する（ステップＳ１１）。
２次元コード情報の送信要求を受信した場合（ステップＳ１１の判定がＹｅｓの場合）、ＣＰＵ２０は、続くステップＳ１２においてレシート情報生成装置１から送信された注文品情報を取得する（ステップＳ１２）。
一方、２次元コード情報の送信要求を受信していない場合（ステップＳ１１の判定がＮｏの場合）、ＣＰＵ２０は、２次元コード情報の送信要求を受信するまで、ステップＳ１１の判定を繰り返す（ステップＳ１１）。
【００４１】
次に、ステップＳ１３において、ＣＰＵ２０は、注文品情報に対応した２次元コードを生成する（ステップＳ１３）。
最後に、ステップＳ１４において、ＣＰＵ２０は、レシート情報生成装置１に２次元コードを送信する（ステップＳ１４）。
【００４２】
このように、情報管理サーバ２は、レシート情報生成装置１から２次元コード情報の送信要求を受信したとき、注文品情報に対応した２次元コードを生成する。
【００４３】
＜携帯端末３を用いた注文品の画像データ取得手順＞
次に、図７に基づき、携帯端末３を用いた注文品の画像データ取得手順について説明する。
なお、ＰＣ４を用いた注文品の画像データ取得手順も、携帯端末３を用いた場合と同様である。
図７は、図１に示す携帯端末３の画像データ取得手順を示すフローチャートである。
【００４４】
ＣＰＵ３０は、以下のステップに示す手順に従う。
図７のステップＳ２１において、ＣＰＵ３０は、２次元コードを取得する（ステップＳ２１）。
具体的には、携帯端末３の２次元コード読み取り可能なカメラ３１９でレシート１０１上に印刷された２次元コードを読み取ることによって取得する。
【００４５】
続くステップＳ２２において、ＣＰＵ３０は、取得した２次元コードからＵＲＬを抽出し、ディスプレイパネル３２１に表示させる（ステップＳ２２）。
【００４６】
次に、ステップＳ２３において、ＣＰＵ３０は、ディスプレイパネル３２１に表示されたＵＲＬにユーザーからのアクセス要求があったか否かを判定する（ステップＳ２３）。
ＵＲＬにアクセス要求があった場合（ステップＳ２３の判定がＹｅｓの場合）、ＣＰＵ３０は、ステップＳ２４において、当該ＵＲＬにアクセスを試み、通信網５を通じて情報管理サーバ２に接続する（ステップＳ２４）。
一方、ＵＲＬにアクセス要求がなかった場合（ステップＳ２３の判定がＮｏの場合）、ＣＰＵ３０は、ＵＲＬにアクセス要求があるまでステップＳ２３の判定を繰り返す（ステップＳ２３）。
【００４７】
次に、ステップＳ２５において、ＣＰＵ３０は、２次元コードから読み取った画像情報コードを情報管理サーバ２に送信し、当該画像情報コードに対応する注文品の画像データを取得する（ステップＳ２５）。
【００４８】
最後に、ステップＳ２６において、ＣＰＵ３０は、取得した画像データをディスプレイパネル３２１に表示させる（ステップＳ２６）。
【００４９】
＜情報管理サーバ２による注文品の画像データの送信手順＞
次に、図８に基づき、情報管理サーバ２による注文品の画像データの送信手順について説明する。
図８は、図１に示す情報管理サーバ２による注文品の画像データの送信手順を示すフローチャートである。
【００５０】
ＣＰＵ２０は、以下のステップに示す手順に従う。
図８のステップＳ３１において、ＣＰＵ２０は、携帯端末３またはＰＣ４から注文品の画像データを掲載したＵＲＬにアクセス要求があったか否かを判定する（ステップＳ３１）。
ＵＲＬにアクセス要求があった場合は、ＣＰＵ２０は、ステップＳ３２において、画像情報コードを取得する（ステップＳ３２）。
一方、ＵＲＬにアクセス要求がない場合は、ＣＰＵ２０は、ステップＳ３１の判定を繰り返し、携帯端末３またはＰＣ４からＵＲＬにアクセス要求があるまで待機する（ステップＳ３１）。
【００５１】
次に、ステップＳ３３において、ＣＰＵ２０は、携帯端末３またはＰＣ４から取得した画像情報コードに対応した注文品の画像データを抽出する（ステップＳ３３）。
続いて、ステップＳ３４において、ＣＰＵ２０は、注文品の画像データを含む送信データを作成する（ステップＳ３４）。
【００５２】
最後に、ステップＳ３５において、ＣＰＵ２０は、アクセス要求があった携帯端末３またはＰＣ４に画像データを送信する（ステップＳ３５）。
【００５３】
このように、携帯端末３またはＰＣ４からのアクセス要求のあったＵＲＬから必要な画像情報に対応する画像データを取得してＷｅｂページを作成した後、携帯端末３またはＰＣ４へ送信する。
【００５４】
＜飲食店において顧客が注文した注文品の画像データを取得するまでの具体的な流れ＞
最後に、飲食店において顧客が注文した注文品の画像データを取得するまでの具体的な流れを説明する。
【００５５】
ここでは、飲食店において顧客が料理や飲み物などを注文した場合を想定する。このとき、飲食店の店員は、レジにおける決済時に顧客が注文した注文品の入力を行う。あるいは、顧客から注文をとる際に、注文受付用の端末がある場合は、当該端末から注文品の情報の入力を行うようにしてもよい。
【００５６】
レシート情報生成装置１は、入力された注文品の内容に基づいて決済処理を行い、レシート１０１または領収証の出力を行う。そして、レシート１０１または領収証の出力時に注文された各注文品または全注文品の画像に対応したＵＲＬをレシート１０１に印刷させる。このとき、レシート１０１にＵＲＬをそのまま印刷する方法や、複数の注文品のデータに対応したＵＲＬを含むＱＲコードの印刷を行う方法があげられる。
【００５７】
次に、顧客は、レシート１０１のＵＲＬを携帯端末３やＰＣ４から直接入力するか、あるいは、レシート１０１に印刷されたＱＲコードを携帯端末３やＰＣ４のカメラ３１９で撮影して読み取ることによってＵＲＬを取得して表示させ、注文品に対応する画像データが保持された情報管理サーバ２にアクセスすることによって、注文品に対応した画像データを表示し、またダウンロードしてブログ等への掲載等が可能になる。
【００５８】
このように、飲食店等において注文した料理等の画像を、携帯端末３を用いて直接撮影せずとも、当該料理のレシート１０１に印刷されたＱＲコードを携帯端末３で読み取ることによって、注文品に対応した料理の画像データとして取得することができる。
【００５９】
＜レシート情報生成装置によって生成されたレシート情報に基づいて印刷されたレシートの具体例＞
次に、図９に基づき、この発明のレシート情報生成装置１によって生成されたレシート情報に基づいて印刷されたレシート１０１の具体例を説明する。
図９は、図１に示すレシート情報生成装置１によって生成されたレシート情報に基づいて印刷されたレシート１０１の一例を示す説明図である。
【００６０】
図９に示すように、領収証には、店名（ＡＢＣレストランＸＹＺ店）とその連絡先（ＴＥＬ１２−３４５６−７８９０）および顧客へのメッセージ（ご来店ありがとうございます。またのご来店をお待ち致しております）、レジでの精算時の日時（２０１３年×月１日（日）１８：００）、レジＮｏ（レジＮｏ．１）、顧客が注文した注文品の品名および値段とその個数（Ａランチ￥１，０００×１、Ｂデザート￥５００×１、Ｃドリンク￥２００×１）、注文品の合計金額（合計￥１，７００）、顧客の支払額（お支払額￥２，０００）および釣銭額（釣銭￥３００）などの注文の明細が印刷される。
【００６１】
一方、レシート１０１の下部には、注文の明細とは別に、顧客が注文した料理の画像をレシート１０１や領収証に表示するＵＲＬを格納した２次元（ＱＲ）コードをその説明文（ご飲食物の写真を公開しております。ＱＲコードのＵＲＬよりダウンロードくださいませ）とともに印刷する。また、ＵＲＬをそのまま印刷するようにしてもよい。
【００６２】
このように、ユーザーは、携帯端末３またはＰＣ４等のカメラ３１９で当該ＱＲコードを撮影して読み取ることによって、レシート１０１に印刷された注文品の画像データを掲載したＵＲＬを取得することが可能となる。
【００６３】
＜携帯端末のディスプレイパネルに表示された画像情報の具体例＞
次に、図１０に基づき、携帯端末３のディスプレイパネル３２１に表示された画像情報の具体例を説明する。
図１０は、図１に示す携帯端末３のディスプレイパネル３２１に表示された画像情報の一例を示す説明図である。
【００６４】
図１０に示すように、携帯端末３のディスプレイパネル３２１には、店名（ＡＢＣレストランＸＹＺ店）および顧客へのメッセージ（お客様がご飲食された料理の写真です）、顧客が注文した注文品の画像の横に注文品の品名と値段および簡単な紹介文（Ａランチ  ￥５００  国産和牛を使用した当店一押しステーキです、Ｍドリンク  ￥２５０  さっぱりした国産焼酎です）が表示される。
【００６５】
また、画像の下には「ダウンロードはこちら」のアイコンが表示される。ユーザーは、このアイコンを選択することによって、所望の画像情報をダウンロードして使用することができる。
また、図１０の下側に示すように、「店舗案内・地図」や「メニュー」「クーポン」等を表示させるようにしてもよい。
【００６６】
このように、顧客は飲食店等において実際に注文した料理のうち、必要な料理の画像データのみをダウンロードして利用することができる。
【００６７】
＜画像情報管理データベースの具体例＞
次に、図１１に基づき、この発明の情報管理サーバ２に格納された画像情報管理データベースの具体例を説明する。
図１１は、図１に示す情報管理サーバ２に格納された画像情報管理データベースの一例を示す表である。
【００６８】
図１１の表は、左側から各メニューを管理する番号、メニューの名称、メニューの価格およびメニューの写真を示す。
図１１に示す例において、「０１０００１」番のメニューは「Ａランチ」、価格は「￥５００」、画像は「画像Ａ」である。
【００６９】
このように、メニューごとに画像を対応させる図１１のような画像情報管理データベースを予め作成して情報管理サーバ２に格納することによって、メニューに対応する画像が存在するか否かを即座に確認して読み出せるようにすることができる。
【００７０】
（他の実施形態）
１．実施形態１において、情報管理サーバ２に画像データを保持した注文品であっても公開したくない場合は、レシート情報生成装置１から２次元コード情報の送信要求があったときでも、２次元コード情報を送信しないようにしてもよい。（実施形態２）
このようにすれば、情報管理サーバ２の画像データが古いデータのままである場合や、画像のアップデートが必要な場合などにおいて非公開に設定することによって２次元コードを作成しないようにすることが可能となる。
【００７１】
２．実施形態１において、レシート情報生成装置１のタッチパネル１１１に「ＵＲＬ表示」、「２次元コード表示」または「何も表示しない」のボタンを表示させて顧客が操作入力を行うことができるようにしてもよい。(実施形態３)
このようにすれば、顧客の意思を反映したレシート生成が可能になると同時に、需要もないのに２次元コードを印刷することによるレシート用紙の無駄を省くことが可能となる。
【００７２】
３．実施形態１において、レシート情報生成装置１は、２次元コードでなく、他のコードシンボルを作成するようにしてもよい。（実施形態４）
このようにすれば、ＱＲコードなど２次元コードの読み取りができない携帯端末３やＰＣ４等に対応したコードシンボルを利用することが可能となる。
【００７３】
４．実施形態１において、情報管理サーバ２は、２次元コード情報の送信要求を受信した時点で複数個の注文品があり、１つの２次元コードにおさまらない場合は、複数個の２次元コードを生成してもよい。（実施形態５）
このようにすれば、顧客は必要に応じて所望の画像データのみ取得することが可能となる。
【００７４】
５．実施形態１において、ＳＮＳ等のネットワークサービスへのアクセスボタンを予め設定しておくようにしてもよい。（実施形態６）
このようにすれば、画像データとともにネットワークサービスにログイン可能となるため、簡単にブログや日記に画像データを添付してアップロードすることが可能となる。
【００７５】
以上に述べたように、
（i）この発明のレシート情報生成装置は、注文品の情報を取得する注文情報取得部と、前記注文品の精算に係るレシートに印刷すべきレシート情報を生成するレシート情報生成部と、外部のサーバに格納された前記注文品の詳細データにアクセスするためのアドレス情報を取得するアドレス情報取得部と、前記注文情報取得部、前記アドレス情報取得部および前記レシート情報生成部を制御する制御部とを備え、前記制御部は、前記注文情報取得部が注文品の情報を取得したとき、前記注文品の詳細データのアドレス情報を前記アドレス情報取得部に取得させ、前記アドレス情報を含む前記レシート情報を前記レシート情報生成部に生成させることを特徴とする。
また、この発明のレシート情報生成方法は、注文品の情報を取得する注文情報取得工程と、前記注文品の精算に係るレシートに印刷すべきレシート情報を生成するレシート情報生成工程と、外部のサーバに格納された前記注文品の詳細データにアクセスするためのアドレス情報を取得するアドレス情報取得工程とを備え、注文品の情報を取得したとき、前記注文品の詳細データのアドレス情報を前記アドレス情報取得部に取得し、前記アドレス情報を含む前記レシート情報を前記レシート情報生成部に生成することを特徴とする。
また、この発明のレシート情報生成システムは、サーバ、レシート情報生成装置および携帯端末を備え、前記サーバは、注文品の詳細データおよび前記詳細データにアクセスするためのアドレス情報を格納するデータ格納部を備え、前記レシート情報生成装置は、前記注文品の情報を取得する注文情報取得部と、前記注文品の精算に係るレシートに印刷すべきレシート情報を生成して印刷するレシート情報生成部と、前記アドレス情報を取得するアドレス情報取得部と、前記注文情報取得部、前記アドレス情報取得部および前記レシート情報生成部を制御する制御部とを備え、前記携帯端末は、撮影によって取得した前記レシート情報から前記アドレス情報を読み取るアドレス情報読取部と、前記アドレス情報にアクセスして前記詳細データを取得するデータ取得部と、前記詳細データをユーザーに表示するデータ表示部と、前記アドレス情報読取部、前記データ取得部および前記データ表示部を制御する端末制御部とを備え、前記制御部は、前記注文情報取得部が注文品の情報を取得したとき、前記注文品の詳細データのアドレス情報を前記アドレス情報取得部に取得させ、前記アドレス情報を含む前記レシート情報を前記レシート情報生成部に生成させて前記レシートに印刷させ、前記端末制御部は、前記レシートの撮影によって取得した前記レシート情報から前記アドレス情報を前記アドレス情報読取部に読み取らせ、前記アドレス情報にアクセスして前記詳細データを前記データ取得部に取得させ、前記詳細データを前記データ表示部に表示させることを特徴とする。
【００７６】
この発明において、「レシート情報」は、注文の明細の他に、企業や店舗等の販促用の情報やアンケート、キャンペーン等の情報と、その情報を記載したウェブサイトのＵＲＬや２次元（ＱＲ）コード等の付加的な情報も含まれる。
「レシート情報生成装置」は、キャッシュレジスタなどのＰＯＳ（Point of Sales（販売時点情報管理））端末やＥＣＲ（Electronic Cash Register（電子式金銭登録機））端末等において、レシートまたは領収証を印刷するための情報を生成する情報処理装置である。また、キャッシュレジスタなどのＰＯＳ端末を管理するＰＯＳサーバやＰＯＳサーバと情報をやりとりするストアサーバ等の装置であってもよい。また、一般のＰＣ（サーバー）やスマートフォンなどの携帯端末・タブレット端末等にＰＯＳ端末等を接続して使用するものであってもよい。
「外部のサーバ」は、ＰＯＳ端末等を管理するＰＯＳサーバやＰＯＳサーバと情報をやりとりするストアサーバ等の装置である。また、一般のＰＣ（サーバー）やスマートフォンなどの携帯端末・タブレット端末等であってもよい。また、レシート情報生成装置と外部サーバが同一の装置であってもよい。
「注文品の詳細データ」は、例えば、顧客が注文した料理の画像データであり、ホテルや宿泊施設等においては、顧客が利用した部屋の内部や備品、入浴施設や料理等の画像データまたは動画データである。また、画像データや動画データに限られず、例えば、顧客が注文した料理の場合、料理のカロリーや栄養価のデータ、料理のレシピのデータやその料理に用いた材料の価格や産地のデータ、料理人のプロフィール、他の顧客による料理の評価やアンケートのデータであってもよい。また、ＳＮＳ等で利用するためのアイコン画像や、飲食店の地図または位置情報のデータ、飲食店や料理をフォローまたは評価する顧客のリスト等であってもよい。
「アドレス情報を含む前記レシート情報」は、注文品の詳細データが格納されたウェブサイトのＵＲＬや２次元（ＱＲ）コード等を含むレシート情報である。
【００７７】
さらに、この発明の好ましい態様について説明する。
（ii）この発明によるレシート情報生成装置において、前記制御部は、前記注文情報取得部が２以上の注文品の情報を取得したとき、前記２以上の注文品のそれぞれに対応する詳細データのアドレス情報を前記アドレス情報取得部に取得させ、前記アドレス情報を含む前記レシート情報を前記レシート情報生成部に生成させるものであってもよい。（実施形態７）
【００７８】
このようにすれば、顧客が２以上の注文品を同時に注文したときであっても、当該２以上の注文品のそれぞれに対応した詳細データを取得することが可能となる。
【００７９】
「２以上の注文品の情報」は、異なる種類の注文品を複数組み合わせたものに限られず、同一種類の注文品を複数個、組み合わせたものであってもよい。
【００８０】
（iii）この発明によるレシート情報生成装置において、前記詳細データは、前記２以上の注文品を組み合わせて構成した詳細データを含むのであってもよい。（実施形態８）
【００８１】
このようにすれば、２以上の注文品の任意の組み合わせに応じた詳細データを取得することが可能となる。
【００８２】
「２以上の注文品の組み合わせに対応した画像のデータ」は、例えば、ＡおよびＢの２種類の注文品が注文された場合はＡおよびＢを組み合わせた詳細データである。
また、Ａ，ＢおよびＣの３種類の注文品が注文された場合、Ａ，ＢおよびＣを組み合わせた詳細データ、ＡおよびＢ、ＡおよびＣ、または、ＢおよびＣの２種類の注文品を組み合わせた詳細データを含むものであってもよい。
【００８３】
（iv）この発明によるレシート情報生成装置において、前記制御部は、前記アドレス情報取得部が複数のアドレス情報を取得したとき、前記複数のアドレス情報にアクセスした者が任意のアドレス情報を選択しうるように前記レシート情報生成部に生成させるものであってもよい。（実施形態９）
【００８４】
このようにすれば、アドレス情報にアクセス可能な複数の詳細データが存在する場合、所望の詳細データを選択して取得することが可能となる。
【００８５】
（v）この発明によるレシート情報生成装置において、前記詳細データは、前記注文品の画像データまたは動画データであってもよい。（実施形態１０）
【００８６】
このようにすれば、ブログやＳＮＳ、動画投稿サイト等のネットワークサービスに直接利用することができる画像データや動画データを取得することができ、静止画像だけでなく、動画を公開することが可能となるため、顧客の需要に合った多様なサービスを提供することができる。
【００８７】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００８８】
１  レシート情報生成装置
２  情報管理サーバ
３  携帯端末
４  ＰＣ
５  通信網
１０，２０，３０  ＣＰＵ
１１，１２，３１，３２  入力装置
１３，２３，３３  記憶装置
１４，２４，３４  時計部
１５，２５，３５  ネットワーク通信部
１６  ドロア装置
１００  レシート情報生成システム
１０１，１０１ａ，１０１ｂ，１０１ｃ  レシート
１１１  タッチパネル
１１２  タッチパネルコントローラ
１１３  キーボタン
１１４  キーコントローラ
１１５  スキャナ
１１６  スキャナコントローラ
１２１，３２１  ディスプレイパネル
１２２，３２２  ディスプレイコントローラ
１２３，３２３  スピーカー
１２４，３２４  スピーカーコントローラ
１２５  プリンタ
１２６  プリンタコントローラ
１３１，２３１，３３１  ＲＯＭ
１３３，２３３，３３３  ＲＡＭ
１３５  ＵＳＢ
１３６  ＵＳＢコントローラ
１６１  ドロア
１６２  ドロアコントローラ
３１７  マイク
３１８  マイクコントローラ
３１９  カメラ
３２０  カメラコントローラ
【図１】
2018049664.tif 000003
【図２】
2018049664.tif 000004
【図３】
2018049664.tif 000005
【図４】
2018049664.tif 000006
【図５】
2018049664.tif 000007
【図６】
2018049664.tif 000008
【図７】
2018049664.tif 000009
【図８】
2018049664.tif 000010
【図９】
2018049664.tif 000011
【図１０】
2018049664.tif 000012
【図１１】
2018049664.tif 000013